(57)【特許請求の範囲】
【請求項１】
ドアを開閉するために前記ドアの両側にそれぞれ取り付けられる把手部を備え、該把手部のうちの一方に固定された細長い矩形状で、且つ、係止溝を形成しない芯部材を他方の前記把手部に設けられた凹孔に、当該他方の把手部の軸部に突設された第２角芯受けの角孔を介して挿入しこれら把手部を前記ドアに取り付けるレバーハンドルであって、前記凹孔が設けられた把手部側に、端板と基板とが鋭角をなし、前記端板が前記基板に対し鋭角に傾斜して略く字型をなす板部材を設け、前記基板は、前記凹孔及び角孔の中心線に対し平行に、且つ、前記軸部と前記第２角芯受けとで形成されるスリット内で固定される一方、前記端板は、前記凹孔を塞ぐように設けられるとともに、前記傾斜角が前記一方の把手部側に対向する向きに且つ前記端板の略中央に穿設された矩形状の貫通孔に、嵌入する前記芯部材から及ぼされる力によって大きくなる角度に変位する向きに配設され、前記芯部材と前記貫通孔と間の摩擦係数が所要条件を満たすときに、前記凹孔に挿入した前記芯部材に対する引き抜きを不能にしてなることを特徴とするドア用レバーハンドル。
【請求項２】
前記凹孔に連通する操作窓であって、適宜な操作具を挿入して、前記端板の貫通孔に係止された前記芯部材の係合を解除すべく前記端板を押圧するための操作窓を備えてなることを特徴とする請求項１に記載のドア用レバーハンドル。
【発明の詳細な説明】
【０００１】
【発明の属する技術分野】
本発明は、各種ドアを開閉するときに把手するレバーハンドルに関し、特に、ドアへの取り付け・取り外しを容易にできるドア用レバーハンドルに関する。
【０００２】
【従来の技術】
この種のレバーハンドルには、従来から、例えば特許第２７０６０５５号に開示されているものがある。
かかるレバーハンドル１００は、図４及び５に示すように、室内用ドア１０１の両側にそれぞれ配設される把手部１０２と１０３とを備え、把手部１０２の軸部１０４に挿入された小径軸部１０５の係合孔１０６、この係合孔１０６に連通する大径の凹孔１０７、及び軸部１０４の係合孔１０４ａには、把手部１０３の角心棒１０８が挿入され、また、係合孔１０６と凹孔１０７との境界部の斜状係止面には、係止板１０９が配設され、そして、この係止板１０９が凹孔１０７内に配設されたコイル形のスプリング１１０によって上記斜状係止面に押圧される一方、上述の係合孔１０６等に挿入される角心棒１０８の先端側に形成された係止溝１１１が、係止板１０９の角孔状透孔１１２に係合する形態をなしている。ところで、当該ハンドル１００では、小径軸部１０５の係合口１１３、及びこれに連設された軸部１０４の開口窓１１４によって操作窓が構成され、上記係合口１１３に、係止板１０９に形成された舌片状のストッパ１１５が係合可能に配設されている。
このようなハンドル１００においては、角心棒１０８をスプリング１１０に抗して係合孔１０６等に押し込んでいくと、角心棒１０８の係止溝１１１に係合していた係止板１０９が図５（Ａ）中の矢印方向の回転力を受けて起立するために、当該係合が解除され、角心棒１０８は、この係止溝１１１の１ピッチに相当する分だけ移動し、当該係合位置から１ピッチ離れたところのその係止溝１１１で、係止板１０９に係合する。このようにして、角心棒１０８は、押し込まれるに従って１ピッチずつ移動し、この角心棒１０８の後端側の段部１１６がハンドル取付座１１７の所定部位に当接するところで停止する（図４参照）。そして、角心棒１０８が停止したところで当該ハンドル１００の取り付けが完了する。
また、把手部１０２，１０３を取り外す場合は、ドライバー等で上記操作窓から係止板１０９のストッパ１１５をこじって係止板１０９を起立させれば、上記係合が解除されるので、把手部１０２，１０３を取り外すことができる。
【０００３】
【発明が解決しようとする課題】
ところで、上記ハンドルにおける両把手部１０２，１０３の連結は、把手部１０３の角心棒１０８に所定ピッチで形成された係止溝１１１を、スプリング１１０によって押圧された係止板１０９の角孔状透孔１１２に係合させることによるものであり、また、係止板１０９に対するスプリング１１０の押圧は、角心棒１０８の中心軸に対し斜状に配設された係止板１０９を、その中心軸が角心棒１０８の中心軸と同一線上にあるスプリング１１０によって押圧するようにしているものである。
このような連結構造においては、上記角心棒１０８に所定ピッチで係止溝１１１を形成しておくことが必要であることは言うまでもないが、係止板１０９と係止溝１１１との係合は当該ピッチ長さの倍数で特定される位置でなされるために、角心棒１０８の後端側の段部１１６をハンドル取付座１１７に当接するところで停止させても、係止板１０９と係止溝１１１とが係合するところに一致しない場合が生ずるという不具合がある。
また、このような押圧構造においては、コイル形のスプリング１１０が係止板１０９を面で一様に押圧するのではなく、言うなれば点に近い状態で押圧することになるために、スプリング１１０の座屈などが生じ易くなって好ましくないという不具合がある。
【０００４】
本発明の目的は、ドアの両側にそれぞれ取り付けられるレバーハンドルで、その両側間の厚みに応じて確実に、且つ、極めて簡便に取り付け可能なドア用レバーハンドルを提供することにある。
また、本発明の目的は、上記目的に加え、極めて簡便に取り外し可能なドア用レバーハンドルを提供することにある。
【０００５】
【課題を解決するための手段】
前記課題を解決するために、本発明の請求項１に係るドア用レバーハンドルは、ドアを開閉するためにドアの両側にそれぞれ取り付けられる把手部を備え、これら把手部のうちの一方に固定された細長い矩形状で、且つ、係止溝を形成しない芯部材を他方の把手部に設けられた凹孔に、当該他方の把手部の軸部に突設された第２角芯受けの角孔を介して挿入しこれら把手部をドアに取り付ける場合、凹孔が設けられた把手部側に、端板と基板とが鋭角をなし、端板が基板に対し鋭角に傾斜して略く字型をなす、例えばバネ鋼材などの板部材を設け、その基板は、凹孔及び角孔の中心線に対し平行に、且つ、前記軸部と前記第２角芯受けとで形成されるスリット内で固定される一方、その端板は、凹孔を塞ぐように設けられるとともに、上記傾斜角が一方の把手部側に対向する向きに且つ端板の略中央に穿設された矩形状の貫通孔に、嵌入する芯部材から及ぼされる力によって大きくなる角度に変位する向きに配設され、前記芯部材と前記貫通孔と間の摩擦係数が所要条件を満たすときに、一旦、芯部材を貫通孔に嵌入させると、貫通孔に嵌入した芯部材、即ち、凹孔に挿入した芯部材に対する引き抜きが不能になるようにしたものである。
【０００６】
このような構成に係るドア用レバーハンドルによれば、これを取り付けるドアの厚みに応じて、芯部材を貫通孔を介して凹孔に嵌入させていくだけで確実に取り付けできるので、取り付け作業が極めて簡単に行える。もちろん、上述した従来例のレバーハンドルのように芯部材に係止溝を形成することなどは不要であるため、レバーハンドル製作上からも安価であることは言うまでもなく、係止溝で係合させる構造ではないため、上述した不具合を生ずることはなく、また、コイル形のスプリングによる押圧を要しない構造のため、上述した不具合を生ずることもない。
【０００７】
また、本発明の請求項２に係るドア用レバーハンドルは、凹孔に連通する操作窓であって、適宜な操作具、例えばドライバを挿入して、端板の貫通孔に係止された芯部材の係合を解除すべく端板を押圧するための操作窓を備えるようにしたもので、これにより、芯部材を貫通孔から引き抜いて、両把手部を簡単に取り外すことができる。
【０００８】
【発明の実施の形態】
本発明の実施の形態の一例を図１〜３を参照して説明する。
本実施の形態に係るドア用レバーハンドル１は、図１及び２に示すように、室内用ドア２の両側にそれぞれ配設される把手部３及び４を備えており、把手部３又は４を操作して、ドア２の側端部から突出してドア枠の凹部（図示せず）に係合するラッチ５を進退させることにより、ドア２を開閉させることができる。但し、図２（Ａ）は、図１のハンドル１の正面図であり、同（Ｂ）は、同図（Ａ）のＡ−Ａ方向から視た一部断面図である。
【０００９】
本ドア用レバーハンドル１の具体的構成は、図２に示すように、把手部３に固定された細長い矩形状の角芯部材（芯部材）６を把手部４に設けられた凹孔７に挿入させる態様で、これら把手部３及び４がドア２の両側にそれぞれ対向して取り付けられる。
即ち、把手部３は、略Ｌ字型を構成する軸部３ａとレバーハンドル部３ｂとを備え、軸部３ａの、把手部４の下記軸部４ａに対向する側の端面には、ドア２に当該把手部３を取り付けるための第１角芯受け８が突設される一方、この第１角芯受け８には、角芯部材６を嵌入させるための角孔８ａが穿設されている。そして、この角孔８ａに連設する状態で、角芯部材６を嵌入させるための凹孔９が軸部３ａに穿設されており、角芯部材６は、凹孔９及び角孔８ａ内にビス等で固定されるとともに、角孔８ａから突出して把手部４の軸部４ａに延出する態様をなしている。
また、把手部４は、把手部３と同様な略Ｌ字型を構成する上記軸部４ａとレバーハンドル部４ｂとを備え、軸部４ａの、把手部３の軸部３ａに対向する端面には、ドア２に当該把手部４を取り付けるとともに、後述の板部材１０を取り付けるための第２角芯受け１１が突設される一方、この第２角芯受け１１には角芯部材６を嵌入させるための角孔１１ａが穿設され、そして、この角孔１１ａに連設する状態で、角芯部材６を嵌入させるための上述の凹孔７が軸部４ａに穿設されている。
【００１０】
しかるに、上述の板部材１０は、端板１３が基板１２に対し、本実施の形態では７０度の鋭角（図３（Ａ）参照）に傾斜して略く字型をなす薄板のバネ部材で、基板１２が、軸部４ａと第２角芯受け１１とで形成されるスリット内で、凹孔７及び角孔１１ａの中心線に対し平行にビス等で固定される。一方、端板１３は、凹孔７を塞いで、角孔８ａを通してこれに嵌入される角芯部材６を阻止するような状態で設けられるとともに、上記傾斜角がこの端板１３の略中央に穿設された貫通孔１４に嵌入される角芯部材６によって大きくなる角度に変位する向きに配設される。
ところで、この把手部４の軸部４ａには、板部材１０の端板１３の下部を、上述した傾斜角が大きくなる方向（図２の矢印方向）に、例えばドライバ（図示せず）などで押圧できるように、上述の凹孔７及び角孔１１ａの中心線に対し垂直に、且つ、角孔１１ａに連通する態様で操作窓１５が設けられており、端板１３の下部がこの方向に押圧されると、端板１３の貫通孔１４とこれに係止された角芯部材６との係合が解除されて角芯部材６を引き抜くことができ、ドア２から把手部３及び把手部４を取り外すことができる。
【００１１】
次に、本ハンドル１の取り付け及び取り外しを、図３を参照して説明する。但し、図３（Ａ）は、角芯部材６を把手部４の凹孔７に挿入する前を、また、同図（Ｂ）は、角芯部材６を凹孔７に挿入しつつあるところを模式的に表した説明図である。尚、同図中では、ドア２や把手部３は省略されており、また、図３（Ａ）には想像線で凹孔７への挿入が完了した角芯部材６が表されている。
取り付け前においては、把手部４を予め第２角芯受け１１を介してドア２の片側の取付座（図示せず）に取り付ける。しかる後、角芯部材６（実際には、角芯部材６が固定された把手部３）を凹孔７に挿入すべく、図３（Ａ）のように対向配置させる。そして、当該角芯部材６を、少しずつ又は一気に、同図（Ｂ）のように端板１３の貫通孔１４を介して凹孔７に挿入していく。
【００１２】
ところで、角芯部材６を貫通孔１４に嵌入させる際には、角芯部材６は、端板１３に対し、その弾性力に抗して上記傾斜角が大きくなる向き（矢印Ｐ方向）に力を及ぼしつつ貫通孔１４に嵌入されるために、貫通孔１４の中心線が角芯部材６の中心軸に一致する状態に近づき、これにより角芯部材６がスムーズに凹孔７に挿入される。しかるに、一旦凹孔７に挿入された角芯部材６を引き抜こうとすると、貫通孔１４とこれに係止された角芯部材６との係合は、端板１３に対し角芯部材６を介して矢印Ｑ方向の力が付与されることになるために、貫通孔１４の中心線と角芯部材６の中心軸とは大きくズレる結果、ますます強固になって抜けなくなる。
このようなことは、角芯部材６と貫通孔１４との接触部位の摩擦係数が所要条件を満たす場合に成り立つのであり、
角芯部材６を引き抜くときに基板１２が端板１３に対し回転支点となる位置Ｋから当該角芯部材６の中心軸までの垂直距離をＬ（図３（Ａ）参照）とし、角芯部材６と貫通孔１４との接触部位間であって前記回転支点の回転軸線と平行な当該接触部位間の隔たりの、前記角芯部材６の中心軸に平行な方向の成分をＢとし、また、前記接触部位の、前記角芯部材６を引き抜く際の摩擦係数をμとすると、これらの間に
Ｂ／２Ｌ＜μ
の関係が成り立つときに、角芯部材６をスムーズに挿入できるが、一旦挿入された角芯部材６を引き抜けないようにできる。
【００１３】
そして、このように角芯部材６を凹孔７に挿入していくと、自ずと第１角芯受け８がドア２の取付座（図示せず）に挿嵌され、これ以上の挿入ができなくなるので、挿入ができなくなった位置で把手部３の取り付けが完了する。したがって、取付作業者は、ドア２の厚みの如何を気にせずに、角芯部材６を貫通孔１４を介して凹孔７に嵌入させていくだけで確実に取り付けできる。
また、取り付けられた把手部３，４を取り外す場合には、操作窓１５からドライバを挿入して、端板１３の下部を図２の矢印方向に押圧すれば、端板１３に対し上記傾斜角が大きくなる方向、即ち、図３（Ｂ）の矢印Ｐ方向に力が付与され、貫通孔１４の中心線が角芯部材６の中心軸に一致する状態に近づくために、角芯部材６を貫通孔１４から引き抜くことができ、両把手部３，４を簡単に取り外すことができる。
【００１４】
【発明の効果】
本発明のドア用レバーハンドルによれば、ドアの両側にそれぞれ取り付けられるレバーハンドルで、その両側間の厚みに応じて確実に、且つ、極めて簡便に取り付け可能となる。
また、本発明のドア用レバーハンドルによれば、ドアに取り付けらたレバーハンドルが極めて簡便に取り外し可能となる。
【図面の簡単な説明】
【図１】  本実施の形態に係るドア用レバーハンドルの外観斜視図である。
【図２】  本ドア用レバーハンドルの構成図である。
【図３】  本ドア用レバーハンドルの取り付けを示す説明図である。
【図４】  従来のドア用レバーハンドルの分解斜視図である。
【図５】  図４のレバーハンドルのうちの一方の構成図である。
【符号の説明】
１      本ドア用レバーハンドル
２      ドア
３，４  把手部
６      角芯部材（芯部材）
７      凹孔
１０    板部材
１２    基板
１３    端板
１４    貫通孔
１５    操作窓
Ｂ      角芯部材と貫通孔との接触部位間であって上記回転支点の回転軸線と平行な当該接触部位間の隔たりの、角芯部材の中心軸に平行な方向の成分
Ｌ      基板が端板に対し回転支点となる位置から角芯部材の中心軸までの垂直距離
μ      角芯部材と貫通孔との接触部位の摩擦係数（角芯部材を引き抜く際の）
【図１】
0003827884.tif 000002
【図２】
0003827884.tif 000003
【図３】
0003827884.tif 000004
【図４】
0003827884.tif 000005
【図５】
0003827884.tif 000006